(57)【要約】【課題】複雑な構造でなくシンプルな構造で、帯状分包体の薬剤を確認して取り出しやすく、安価な帯状分包体を収容する服薬収容容器体を提供する。【解決手段】一端面に収容開口を有する収容容器本体と収容開口を閉じる蓋体とを備え、収容容器本体内には、薬剤を一包化した薬包を複数帯状に連続して配置した帯状分包体巻き付け可能とする芯体が設けられ、また収容容器本体の側面には、帯状分包体を引き出し可能とするスリット状取出し口が設けられている。収容容器本体内に収容された帯状分包体の端部がスリット状取出し口から引き出されて、帯状分包体から薬包を容易に切り離すことができる。【選択図】図１
2020188952.tif 000002
【特許請求の範囲】
【請求項１】
薬剤を一包化した薬包を複数帯状に連続して配置した帯状分包体を収容する服薬収容容器体であって、
一端面に収容開口を有する収容容器本体と、前記収容開口を閉じる蓋体とを備え、
前記収容容器本体内には、前記帯状分包体を巻き付け可能とする芯体が設けられ、また前記収容容器本体の側面には、前記帯状分包体を引き出し可能とするスリット状取出し口が設けられていると共に、前記スリット状取出し口の一端が前記収容開口まで延びていることを特徴とする服薬収容容器体。
【請求項２】
前記収容容器本体を複数備えており、前記収容容器本体には、隣接する前記収容容器本体を相互に連結するための連結手段が設けられていることを特徴とする請求項１に記載の服薬収容容器体。
【請求項３】
前記芯体が前記収容容器本体内にて回動可能に設けられていることを特徴とする請求項１又は２に記載の服薬収容容器体。
【請求項４】
前記蓋体には、前記スリット状取出し口を補強するための補強部材が設けられ、前記蓋体により前記収容容器本体の前記収容開口を閉じると、前記蓋体の前記補強部材が前記収容容器本体側の前記スリット状取出し口の一端部に係合することを特徴とする請求項１乃至３のいずれかに記載の服薬収容容器体。
【請求項５】
薬剤を一包化した薬包を複数帯状に連続して配置した帯状分包体を収容する服薬収容容器体であって、
一端面に収容開口を有する収容容器本体と、前記収容開口を閉じる蓋体とを備え、
前記収容容器本体内には、前記帯状分包体を複数巻き付け可能とした芯体が設けられ、また前記収容容器本体の側面には、前記帯状分包体を引き出し可能とする複数のスリット状取出し口が設けられていることを特徴とする服薬収容容器体。
【請求項６】
薬剤を一包化した薬包を複数帯状に連続して配置した帯状分包体を収容する服薬収容容器体であって、
一端面に収容開口を有する収容容器本体と、前記収容開口を閉じる蓋体とを備え、
前記収容容器本体内は、前記帯状分包体を巻き付け可能とした芯体が収納可能に形成され、また前記収容容器本体の側面には、前記芯体に巻かれた前記帯状分包体を引き出し可能とするスリット状取出し口が設けられていることを特徴とする服薬収容容器体。
【発明の詳細な説明】
【技術分野】
【０００１】
本発明は、調剤された薬剤を一包化した複数の薬包を帯状に連続配置した帯状分包体を収容する服薬収容容器体に関する。
【背景技術】
【０００２】
従来から、薬局や医院でもらった薬剤を一包化した複数の薬包を帯状に連続配置した帯状分包体を服用する際には、長い帯状分包体から薬包を一つ一つ切り離して服用するため、手間がかかり、高齢者では、朝昼夕に３回服用する場合などは、服用を忘れやすく、薬包を切り離した状態では、服用する薬剤自体を間違いやすいものであった。そこで、帯状分包体から切り離した薬包を、カレンダー式に区分けしたボックスに仕分けできるものがあったが、置くスペースを取りやすく、またそのボックス自体をひっくり返す恐れがあった。また、長い帯状分包体を折り畳んで箱体に詰めて取り出すものがあるが、薬が潰れやすく、また、カプセルの薬剤の場合には折り畳まれているため、取り出し口にひっかかり取り出しにくいなどの欠点があった。
また、老健など高齢者施設では、スタッフが複数の患者(住人)の薬を管理しているが、帯状分包体になったこの薬剤を管理することは、複雑となりがちであり、改善が求められていた。
【先行技術文献】
【特許文献】
【０００３】
【特許文献１】特開２０１８−１４０１３８号公報
【特許文献１】特開２０１１−３０９３４号公報
【発明の概要】
【発明が解決しようとする課題】
【０００４】
近年、リールに一連の分包薬剤の綴りをセットして、服用時刻に自動的に服用しなければならない分包薬剤が自動的に排出される装置や、アラーム等の警報により服薬時間を知らせる装置（例えば、特許文献１、２を参照）があるが、モーターなどの機械的要素を使用しており、デジタル化とコスト面において、利用されにくい面もあった。
【０００５】
本発明の目的は、シンプルで使いやすい帯状分包体を収容する服薬収容容器体を提供することである。具体的には、簡単に帯状分包体の薬剤を確認でき、取り出しやすく、且つ日常生活の一部として溶け混む、例えば、卓上などに設置しやすい形状と、適度な強度を有し、しかも安価で導入しやすいものである。
【課題を解決するための手段】
【０００６】
本発明の第一発明の服薬収容容器体は、薬剤を一包化した薬包を複数帯状に連続して配置した帯状分包体を収容する服薬収容容器体であって、
一端面に収容開口を有する収容容器本体と、前記収容開口を閉じる蓋体とを備え、
前記収容容器本体内には、前記帯状分包体を巻き付け可能とする芯体が設けられ、また前記収容容器本体の側面には、前記帯状分包体を引き出し可能とするスリット状取出し口が設けられていると共に、前記スリット状取出し口の一端が前記収容開口まで延びていることを特徴とする。
【０００７】
また、本発明の第二発明の服薬収容容器体は、薬剤を一包化した薬包を複数帯状に連続して配置した帯状分包体を収容する服薬収容容器体であって、
一端面に収容開口を有する収容容器本体と、前記収容開口を閉じる蓋体とを備え、
前記収容容器本体内には、前記帯状分包体を複数巻き付け可能とした芯体が設けられ、また前記収容容器本体の側面には、前記帯状分包体を引き出し可能とする複数のスリット状取出し口が設けられていることを特徴とする。
【０００８】
更に、本発明の第三発明の服薬収容容器体は、薬剤を一包化した薬包を複数帯状に連続して配置した帯状分包体を収容する服薬収容容器体であって、
一端面に収容開口を有する収容容器本体と、前記収容開口を閉じる蓋体とを備え、
前記収容容器本体内は、前記帯状分包体を巻き付け可能とした複数の芯体が収納可能に形成され、また前記収容容器本体の側面には、前記複数の芯体に巻かれた前記帯状分包体を引き出し可能とするスリット状取出し口が設けられていることを特徴とする。
【発明の効果】
【０００９】
本発明の服薬収容容器体は、収容容器本体内に帯状分包体を巻き付け可能とした芯体を収納し、取出し口から帯状分包体を引き出しできるので、帯状分包体の薬剤を確認して取り出しやすいという利点がある。また、モーターなどの機械的な要素がないため、安価にできる利点がある。
【図面の簡単な説明】
【００１０】
【図１】第一発明の実施例１の蓋体を開けた状態を示す斜視図である。
【図２】図1の実施例１の蓋体を閉じた状態を示す斜視図である。
【図３】図2の実施例１の縦断面図である。
【図４】図１の実施例１を水平方向に連結した状態を示す斜視図である。
【図５】第一発明の実施例２を垂直方向に連結した状態を示す斜視図である。
【図６】第一発明の実施例３を示す斜視図である。
【図７】第一発明及び第二発明の他の実施例の分解斜視図である。
【図８】第二発明の実施例を示す斜視図である。
【図９】図８の実施例の分解斜視図である。
【図１０】図９の実施例の芯体に帯状分包体を巻き付けた状態を示す斜視図である。
【図１１】図８の実施例に装着した帯状分包体を引き出した状態を示す斜視図である。
【図１２】第三発明の実施例の分解斜視図である。
【発明を実施するための形態】
【００１１】
以下、本発明の服薬収容容器体の実施の形態を図面に基づき詳細に説明する。
【００１２】
（第一発明の服薬収容容器体の実施例１）
図１〜４は、第一発明の服薬収容容器体の一実施例であり、図において、１は服薬収容容器体、２は収容容器本体、３は蓋体、２０は側面、２１は収容開口、２２は取出し口、４は芯体、５は帯状分包体、５０は薬包（図７）、５１はミシン目（図７）、６は連結手段である。
【００１３】
服薬収容容器体１は、調剤された薬剤を一包化した薬包５０、５０、・・・を帯状に連続して配置した帯状分包体５を収容するものであり、収納された帯状分包体５を引き出して、薬包５０を切り離して使用する紋尾である。服薬収容容器体１は、収容容器本体２と蓋体３とを備えている。
【００１４】
収容容器本体２の一端面には収容開口２１が設けられており、蓋体３はこの収容開口２１を閉じるものである。服薬収容容器体１は、蓋体３を閉じることにより、収容される帯状分包体５が外に飛び出さないように収容できる。また、蓋体３を開いた状態で、芯体４に渦巻き状に巻き付けた帯状分包体５を収容開口２１の開口部分から装着でき、収容容器本体２内に帯状分包体５を収納がし易いものである。この実施例１では、服薬収容容器体１は合成樹脂で形成されているもので、収容容器本体２と蓋体３とはヒンジ部３ａで連結されており、開閉できるものである。なお、収容容器本体２と蓋体３とをヒンジ部３aで連結せず収容容器本体２と蓋体３とは別々に形成してお互いを係合してもよいものである。
【００１５】
蓋体３の内面側には、収容開口２１と略同形の突係止部３２が形成されている。図３に示されるように、蓋体３を閉じた際に、この突係止部３２が収容開口２１の周縁部分に係合され、これにより、蓋体３は収容容器本体２の収容開口２１を閉じた状態に保持される。
【００１６】
芯体４は、収容容器本体２内に収容開口２１に対し垂直に配置され、この実施例では、収容容器本体２の端壁部２３から収容開口２１に向けて延びている。この芯体４は、渦巻き状に巻かれた帯状分包体５の中心空間部分内に挿入されて、帯状分包体５が収容容器本体２内に収納されることになる。図１の実施例１では、芯体４は、収容容器本体２の収容開口２１と反対側の端壁部２３の内面のほぼ中央位置に設けられている。図３に示されるように、この芯体４は収容容器本体２の端壁部２３と一体的に形成されても良く、また、収容容器本体２の端壁部２３に着脱自在に形成されても良い。
【００１７】
収容容器本体２の収容開口２１と隣接する側面２０には、帯状分包体５を引き出し可能とするスリット状の取出し口２２が形成されている。この取出し口２２は、芯体４の軸心と同方向にスリット状に形成されており、取出し口２２の一端２２ａが収容開口２１まで延びている。取出し口２２の一端２２ａが収容開口２１まで延びた構成であるので、巻いた帯状分包体２の引き出す端部を取出し口２２に容易に差し込むことができ、帯状分包体５の引き出しが可能となる状態に帯状分包体５の端部を取出し口２２に位置させることができる。
【００１８】
取出し口２２は、引き出す帯状分包体５を傷付けないように滑らかに形成することがよいものであり、引き出し易いようにガイド部を形成してもよい。また、図示しないが、引き出されている帯状分包体５の先端部が垂れ下がらないようにかつ掴み易いように、取出し口２２の下側となる位置に支え補助部を突出して形成しても良い。
【００１９】
服薬収容容器１の形状は、実施例のような四角形状だけでなく、円形形状、三角形状などデザイン性に応じて形成される。また、服薬収容容器１自体を透明や半透明にしてもよく、その場合には、帯状分包体５の残り状態を確認できる。また、薬剤によっては、一包化よって光による安定性や湿気が長期使用の場合懸念される場合があるが、遮光効果のあるフィルムを貼ることや服薬収容容器１自体の材質を遮光材料にて形成することにより解決でき、また乾燥剤を容器に入れることで湿気対策できる。そして、服薬収容容器１に取手をつけても良いものであり、服薬収容容器１に収容された帯状分包体５から薬包５０を切り離す際に取手を持って取り出しと切り離しが安定的にできると共に、服薬収容容器１を移動させる際の持ち運びを便利にすることができる。
【００２０】
図１、２に示されるように、蓋体３には、取出し口２２に対応して補強部７（補強手段）が設けられ、補強部７は、蓋体３により収容開口２１を閉じた際に、取出し口２２の一端２２ａに挿入されて位置するように構成されており、この補強部７が取出し口２２の一端２２ａに挿入され、取出し口２２の一端２２ａを補強することになり、帯状分包体２を安定して引き出すことができると共に長期に使用が可能となる。図示しないが、補強部７に溝部を形成して、この溝部に取出し口２２の一端部２２ａを差し込めるように形成すれば、より補強ができることになる。
【００２１】
図４、５に示されるように、服薬収容容器体1に連結手段６を設けて、図4のように、隣接する複数の服薬収容容器体1同士を相互に連結手段６にて横方向（水平方向）に、また、図５のように縦方向（垂直方向）に連結可能としたものである。連結手段６は、例えば、図１、２、３のように、蓋体３の表面側に設けた凹係合部６ａと、収容開口２１と反対面となる収容容器本体２の他面側の端壁部の表面に設けられた凸係合部６ｂとから構成することができ、蓋体３側の凹係合部６ａと収容容器本体２側の凸係合部６ｂとを係合して、服薬収容容器体1、１・・・同士を相互に横方向に連結するものである。連結手段６は、スライド形式の係合であってもよく、あるいは、面ファスナー形式のものでもよい。このように、服薬収容容器体1同士を相互に連結手段６にて連結できるために、朝昼夕などの複数回分の別々の帯状分包体５を一つにして保管することが可能となる。
【００２２】
図４のように、服用する薬剤が朝昼夕、就寝前と4回となる場合には、服薬収容容器体１を横方向に４つ連結すれば、朝昼夕、就寝前のそれぞれの帯状分包体５を引き出すことが可能となる。そして、朝昼夕、就寝前の服用する薬包が分かるように、連結した服薬収容容器体1のそれぞれにその表示部８にて明示すればよいものである。この場合、服用時に容易に必要な薬包を識別できることが可能となる。また、図５のように、取出し口２２の周囲に赤色や青色にて区別できるように表示部８にて明示してもよい。また、蓋体３の全体の色を変えることでもよい。そして、使用者に応じて、ひらがなや、カタカナ、ピストグラムも使用することができる。
【００２３】
本発明の帯状分包体５は、調剤された薬剤を一包化した複数の薬包５０、５０・・・を帯状に連続形成されたもので、服薬収容容器体１の芯体４に巻き付けられるものであり、薬包５０同士を切り離すためのミシン目５１が形成されている。
【００２４】
＜使用方法＞
本発明の服薬収容容器体１の実施例１の使用方法は、取出し口２２から一回分の薬包５０を引き出し、その薬包５０を帯状分包体５より分裂させ（手でちぎって）、服用するものである。なお、その際、一回分を引き出した時点でストッパーが稼働し、一回分以上出てこない手段を設けてもよい。
【００２５】
（第一発明の服薬収容容器体の実施例２）
図６は、第一発明の服薬収容容器体１の実施例２であり、実施例１と相違する構成について説明する。スリット状の取出し口２２が収容容器本体２と蓋体３に亘って形成されているものである。蓋体３には、収容容器本体２の側面２０と同形状の側面３０が形成されており、収容容器本体２に形成された取出し口２２Ａと同位置にとなる取出し口２２０が、蓋体３の側面３０の開口面３１までスリット状に延びて形成されている。取出し口２２は、収容容器本体２に形成された取出し口２２Ａと、蓋体３に形成された取出し口２２０とでスリット状に形成されていることになる。収容容器本体２の収納開口２１の周縁部分に差し込み周縁部７０が延設されており、この差し込み周縁部７０が蓋体３の開口面３１の周縁内に差し込まれて、収容容器本体２と蓋体３とが結合される。図示されないが、収容容器本体２と蓋体３との結合をより強固にするために、別の結合手段を形成してもよい。
【００２６】
実施例２の服薬収容容器体１には、棒状の芯体４の端部を着脱できる芯体受け部４２が収容容器本体２の内面のほぼ中央部分に形成されており、また、蓋体３の内面に、芯体受け部４２と対向する位置の内面に同様の芯体受け部（図示しない）が形成されている。この芯体受け部４２との芯体受け部との間に芯体４が装着されることになる。収容容器本体２の芯体受け部４２に芯体４を挿嵌し、この芯体４に渦巻き状に巻き付けた帯状分包体５の中心部分を装着し、蓋体３を収容容器本体２に装着して、巻き付けた帯状分包体５を服薬収容容器体１に収容する。このように、取出し口２が分割されて形成されているので、開口部分が大きく開口した状態となり、収容容器本体２の外側から容易に装着でき、巻き付けた帯状分包体５を収容容器本体２内に収納する作業がよりし易くなる。
【００２７】
実施例２では、取出し口２の下方側が外方に膨出した斜め支え補助部９が形成されており、この斜め支え補助部９は、渦巻き状に巻き付けた帯状分包体５の端部が取出し口２から引き出された状態では、その端部は服薬収容容器体１に密着せず、持ち上げられた状態となり、持ちやすくなり、帯状分包体５の取出しや帯状分包体５から薬包５０を切り離す際に切り離し易くなるものである。そして、斜め支え補助部９をさらに延長させてその先端を上方に湾曲するように形成することにより、帯状分包体５から薬包５０を切り離す際に、薬包５０を指で湾曲部分に押し当て、ミシン目５１を斜め支え補助部９の先端に押し当てることで、薬包５０の切り離しがしやすくなる。
【００２８】
（第一発明・第二発明の服薬収容容器体の実施例３）
図７は、第一発明・第二発明の服薬収容容器体の実施例３であり、収容容器本体２の同じ側面２０に、取り出し口２２が複数形成されている実施例である。実施例３では、取出し口２２が間隔をおいて２つ設けられている例であるが、３つ以上設けるようにしても良い。図７に示すように、帯状分包体５を２重に巻きつけた２重巻き付け帯状分包体５の中心５ａ内に芯体４を装着して、一方の帯状分包体５を取出し口２２から引き出し、他方の帯状分包体５を他の取出し口２２から引き出すものである。このように、帯状分包体５が服用時期で異なる場合に、取出し口２２が分かれていると、服用時点で確認して、一回分を引き出し服用するため非常にシンプルでアクションに障害が少ないため服用のアドヒアランス向上に好影響を与えるものである＜アドヒアランス：患者の服用意欲、意識を向上することによる抜本的な服用頻度の向上（意識的）＞。そして、服用時点の頻度でいえば、朝夕食後の２回が多く、２つの取出し口２２を設け、可能な限りコンパクト化した方が、より利用しやすい。特に、個人で自己管理が可能な比較的アクティブなユーザーに合わせた開発の経緯がある。
【００２９】
図７の実施例では、蓋体３の収容開口２１を閉じる側に、収容開口２１の外側に嵌合する係合凹部３３を形成しているものであり、蓋体３の係合凹部３３は収容開口２１の外側に嵌合して、蓋体３にて収容開口２１を閉じた際に、係合凹部３３の周辺部３３ａが取出し口２２、２２の一端２２ａ、２２ａを塞ぐ形となり、取出し口２２の一端２２ａを補強する補強手段７となるものである。
【００３０】
図７における服薬収容容器体１同士を相互に連結する連結手段６は、面ファスナーである。この面ファスナーであれば、連結したい方向に面ファスナーを固定すればよいものとなる。図７では、服薬収容容器体１を横状態にした使用方法で示しているが立て状態にした使用方法で使用するようにしても良いものである。
【００３１】
（第二発明の服薬収容容器体の実施例４）
図８〜１１は、第二発明の服薬収容容器体の実施例４である。服薬収容容器体１は、帯状分包体５を芯体４に巻きつけて収容するものであり、収容容器本体２の側面２０には、帯状分包体５を引き出し可能とする取出し口２２が周方向に間隔をおいて複数設けられており、これら取出し口２２は、芯体４の軸心方向に平行にスリット状に設けられている。実施例４では、取出し口２２が３つ形成されているものであり、朝昼夕用、あるいは朝昼、就寝前用に対応するものである。また、３つのうち２つを使用しても良いものである。なお、実施例４の取出し口２２の一端が収容開口２１に達していないが、第一発明の実施例１のように、収容開口２１の一端に達するように形成して良い。
【００３２】
図９の分解斜視図に示すように、芯体４は、芯体軸４０の一端に円形鍔部４１が形成されているものであり、図１０のように、帯状分包体５を２重に巻きつけた芯体４を収容容器本体２内に収容した際に、芯体４が収容容器本体２内にて軸心回りに回動自在となるものであって、図１１のように、帯状分包体５を引き出し易くできる。なお、回動をよくするために、円形鍔部４１の裏面に、例えば、滑りのよい素材を設けるようにても良く、またローラーなどを設けても良い。なお、図示しないが、蓋体３の裏面と収容開口２１とは係合する係合手段を設けられている。
【００３３】
（第三発明の服薬収容容器体の実施例５）
図１２は、第三発明の服薬収容容器体の実施例５である。この実施例５では、服薬収容容器体１の収容容器本体２内に、帯状分包体５を巻き付けた芯体４Ａ、４Ａ、・・・を複数個並設して収納可能とするものである。図示する実施例５では芯体４Ａを３つ収容するタイプであるが、２つや４つ以上のタイプのものであってもよい。そして、収容容器本体２の側面に複数の帯状分包体５を引き出し可能とする取出し口２２が、収容容器本体２の収容開口２１の長手方向に沿って芯体４の軸心方向に平行に形成されている。収容容器本体２に蓋体３にて収容開口を２１に閉じるように装着した際に、蓋体３の周縁部と取出し口２２とで、取出し口２２が芯体４Ａの軸心方向にスリット状に形成されることになる。
【００３４】
芯体４Ａは、芯体軸４０Ａの両側に円形鍔部４１Ａ，４１Ａが形成され、いわゆるボビン状に形成されている。このように軸方向に並設されている芯体４Ａ同士は互いに干渉し合わず回動が可能となり、それぞれの芯体４Ａが傾かず、それぞれの巻き付けられている帯状分包体５を引き出す際にも支障がないものであり、スムーズな引き出しが可能となる。収容容器本体２内に、芯体４Ａの横方向の動きを規制する円形鍔部４１Ａ，４１Ａの係止部を形成しても良い。なお、芯体４Ａの芯体軸４０Ａを一つにしてもよく、その芯体軸４０Ａに渦巻き状に巻いた帯状分包体５を複数装着しても良いものである。この第三発明では、老健施設などの集合施設において、複数の服用者の管理をスタッフが任されている場合には有効である。
【００３５】
上述した服薬収容容器体の実施例についての利点について述べる。
第１に、薬袋のままだと、置き場所が固定されずに、薬袋を探すことや、薬自体の飲み忘れの頻度が高くなる恐れがあるが、上述した実施例の服薬収容容器体を用いれば、卓上に置くなど位置を固定することができ、飲み忘れや、億劫さが減りコンプライアンスならびにアドヒアランスの向上に好影響となる＜コンプラインス：単純に服用の頻度が落ちない（機械的）＞。
第２に、上述した実施例の服薬収容容器体を用いれば、薬包自体に日付入りもしくはナンバーリングを印字することにより、当日の服用時点の分包が残っていれば、飲み忘れに気づき、服用時点で当日の飲み忘れが確認できることになる。また、飲み忘れた際は、気づいた時点でその薬包を取り外すし、残薬として集め、次回薬局に持って行くことで調整可能となる。
第３に、上述した実施例の服薬収容容器体を用いれば、一定の強度があるので、連結させて置く場所に設置しやすいものであり、家族の中にも薬を服用する人がいる場合でも一緒においても置きやすく服用を間違いにくいするものである。また、施設や集団生活の場でも複数を一緒にまとめておけるメリットがある。
第４に、上述した実施例の服薬収容容器体を用いれば、薬同士の重量で、分包した形態が保てないことや、破損の心配が減少する。
第５に、上述した実施例の服薬収容容器体を用いれば、調剤する側のメリットとして、繰り返し分包（朝昼夕食後就寝前など）で繰り返し服用するものであるため、調剤のしやすさと調剤過誤の機会を減少させることが可能となり、また、連続した一包化を重ねて巻くので、数の確認もしやすいものとなる。
【符号の説明】
【００３６】
１    服薬収容容器体
２    収容容器本体
３    蓋体
２０  側面
２１  収容開口
２２  取出し口
４    芯体
４０  芯体軸
４１  円形鍔部
５    帯状分包体
５０  薬包
５１  ミシン目
６    連結手段
７    補強部（補強手段）
８    表示部
【図１】
2020188952.tif 000003
【図２】
2020188952.tif 000004
【図３】
2020188952.tif 000005
【図４】
2020188952.tif 000006
【図５】
2020188952.tif 000007
【図６】
2020188952.tif 000008
【図７】
2020188952.tif 000009
【図８】
2020188952.tif 000010
【図９】
2020188952.tif 000011
【図１０】
2020188952.tif 000012
【図１１】
2020188952.tif 000013
【図１２】
2020188952.tif 000014